(57)【要約】【課題】修理を迅速かつ的確に行えるようにするため、異常が発生している個所の総個所数およびその異常情報等を、室内機に設けられている運転状態を表示する限られた数の表示素子を利用して表示する。【解決手段】室内機１に運転状態を表示する少なくとも３つの表示素子２１，２２，２３を備え、各表示素子を利用して異常状態を表示する故障診断機能を有する空気調和機において、異常発生個所の総個所数を表示する総個所数表示、異常番号を表示する異常番号表示および異常内容を表示する異常内容表示を、各表示素子２１，２２，２３の表示態様（点灯，消灯，点滅，高速点滅）の特定の組み合わせにより所定の順序で行う。【選択図】図１
2012247119.tif 000002
【特許請求の範囲】
【請求項１】
故障診断機能を有するとともに、室内機に運転状態を表示する少なくとも３つの表示素子と、上記故障診断機能による異常情報に基づいて上記各表示素子を制御する表示制御部とを備え、上記各表示素子を利用して異常状態を表示する空気調和機において、
上記表示制御部は、異常発生個所の総個所数を表示する総個所数表示、異常番号を表示する異常番号表示および異常内容を表示する異常内容表示を、上記各表示素子の表示態様の特定の組み合わせにより所定の順序で行うことを特徴とする空気調和機。
【請求項２】
上記表示制御部は、上記総個所数表示、上記異常番号表示、上記異常内容表示を所定の順序で行う際、各表示の切り替え時には、上記各表示素子の表示態様を所定時間の間、上記特定の組み合わせ以外の表示切り替え専用の組み合わせとすることを特徴とする請求項１に記載の空気調和機。
【請求項３】
上記表示制御部は、上記異常発生個所が１個所である場合、上記異常番号表示は行わず、上記異常内容表示を行うことを特徴とする請求項１に記載の空気調和機。
【発明の詳細な説明】
【技術分野】
【０００１】
本発明は、空気調和機に関し、さらに詳しく言えば、室内機に設けられている運転状態を表示する表示素子を利用して、異常（故障）が発生している個所の総個所数およびその異常情報を表示する空気調和機に関するものである。
【背景技術】
【０００２】
故障診断機能（自己診断機能とも言う）を有する空気調和機では、何らかの異常（例えば、室内熱交換器の異常過熱等）が発生した場合には、その異常を表示手段によりユーザーに報知する。
【０００３】
その表示手段として、異常表示専用の表示素子を設けずに、空気調和機の運転状態を表示する発光ダイオード等からなる表示素子（表示ランプ）が利用される場合がある。
【０００４】
例えば、運転状態表示部に、運転ランプ，タイマーランプ，省エネ運転ランプの３つがある場合、異常発生時には、通常の運転時とは異なる表示態様として、例えば運転ランプとタイマーランプとを同時に点滅することにより、異常が発生していることをユーザーに知らせる。
【０００５】
これを見たユーザーが、電話等によりサービスセンターにランプの表示状態（上記の例では、運転ランプとタイマーランプとが同時に点滅している表示状態）を通知することにより、サービスセンター側では、予め配布されているサービスマニュアルにより、その異常個所を特定し、サービスマンを修理に出向かわせることになる。
【０００６】
しかしながら、従来では、１個所の異常しか表示されないため、サービスマンは、表示されている異常にしか対応することができない。
【０００７】
例えば、異常が２個所で発生している場合には、サービスマンの対応により１個所の異常が解消された後に、次の異常が表示されるため、その修理に事前の準備が必要な場合には、１度の訪問ですべての異常に対応することができない。
【０００８】
なお、特許文献１には、複数台の室内機を有するマルチエアコンで、室外機側で異常が発生している室内機を特定できるようにしたマルチエアコン異常停止時の異常報知器が提案されている。
【０００９】
しかしながら、異常が発生している室内機を特定できたとしても、その異常個所が何個所で、どのような異常であるかまでは分からない。
【先行技術文献】
【特許文献】
【００１０】
【特許文献１】特開平８−２６１５４６号公報
【発明の概要】
【発明が解決しようとする課題】
【００１１】
したがって、本発明の課題は、修理を迅速かつ的確に行えるようにするため、異常が発生している個所の総個所数およびその異常情報を、室内機に設けられている運転状態を表示する限られた数の表示素子を利用して表示することにある。
【課題を解決するための手段】
【００１２】
上記課題を解決するため、本発明は、故障診断機能を有するとともに、室内機に運転状態を表示する少なくとも３つの表示素子と、上記故障診断機能による異常情報に基づいて上記各表示素子を制御する表示制御部とを備え、上記各表示素子を利用して異常状態を表示する空気調和機において、上記表示制御部は、異常発生個所の総個所数を表示する総個所数表示、異常番号を表示する異常番号表示および異常内容を表示する異常内容表示を、上記各表示素子の表示態様の特定の組み合わせにより所定の順序で行うことを特徴としている。
【００１３】
また、本発明には、上記総個所数表示、上記異常番号表示、上記異常内容表示を所定の順序で行う際、各表示の切り替え時には、上記各表示素子の表示態様を所定時間の間、上記特定の組み合わせ以外の表示切り替え専用の組み合わせとする態様が含まれる。
【００１４】
本発明において、上記表示制御部は、上記異常発生個所が１個所である場合、上記異常番号表示は行わず、上記異常内容表示のみを行う。
【発明の効果】
【００１５】
本発明によれば、異常発生個所の総個所数を表示する総個所数表示、異常番号を表示する異常番号表示および異常内容を表示する異常内容表示が、各表示素子の表示態様の特定の組み合わせにより所定の順序で表示されるため、ユーザーからのサービスコール時に、これらの表示態様を伝えてもらうことにより、すべての異常を事前に知ることができ、１度の訪問ですべての異常に対応することが可能となる。
【図面の簡単な説明】
【００１６】
【図１】（ａ）本発明の空気調和機が備える室内機の外観斜視図、（ｂ）その運転表示部の拡大図。
【図２】運転表示部に設けられている表示素子の駆動回路図。
【図３】運転表示部に設けられている表示素子の表示態様を示す模式図。
【図４】異常発生個所の総個所数を表示する総個所数表示の一例を示す模式図。
【図５】（ａ）〜（ｃ）異常番号を表示する異常番号表示の３例を示す模式図。
【図６】異常内容を表示する異常内容表示の一例を示す模式図。
【図７】（ａ）〜（ｅ）総個所数表示、異常番号表示、異常内容表示の表示順序を示す模式図。
【図８】総個所数表示、異常番号表示、異常内容表示の具体例を示す説明図。
【図９】（ａ）自動化された総個所数表示、異常番号表示、異常内容表示の表示順序を示すフローチャート、（ｂ）表示切り替え専用の表示パターンを示す模式図。
【図１０】リモコンの操作に基づく総個所数表示、異常番号表示、異常内容表示の表示順序を示すフローチャート。
【図１１】（ａ）リモコンの操作に基づく別の例としての総個所数表示、異常番号表示、異常内容表示の表示順序を示すフローチャート、（ｂ）異常発生表示の表示パターンを示す模式図。
【発明を実施するための形態】
【００１７】
次に、図１ないし図１０により、本発明の実施形態について説明するが、本発明はこれに限定されるものではない。
【００１８】
図１（ａ）に示すように、この空気調和機は室内機（室内ユニット）１を有し、故障診断機能（自己診断機能とも言う）により発見された異常を室内機１の運転状態表示部２に表示する。
【００１９】
故障診断機能について説明すると、室外機および室内機の各制御部は、各種温度センサや圧力センサで検出された制御情報に基づいて、圧縮機や送風ファン、膨張弁等を制御するが、この制御プロセスにおいて、室内機の制御部は、上記制御情報が所定の基準値から外れている等、上記制御情報に異常があると、故障と診断する。
【００２０】
故障は複数個所で同時に発生する場合と、後から新たな故障が発生する場合もあるが、いずれにしても、室内機の制御部は、その故障の発生個所や故障の内容を記憶手段に記憶する。これとは別に、制御部は、どこかで故障が発生した場合、他に異常が発生していないかどうかを確認することもある。
【００２１】
この実施形態において、図１（ｂ）に示すように、運転状態表示部２には、運転表示素子２１，機能Ａ用（例えばタイマ用）表示素子２２および機能Ｂ用（例えば省エネ運転用）表示素子２３の３つの表示素子が設けられている。なお、参照符号２４は、リモコン信号を受信する受信部である。
【００２２】
表示素子２１，２２，２３は発光ダイオードからなり、以下、表示素子を「表示ランプ」ということがある。発光ダイオードの発光色は任意に決められてよい。
【００２３】
図２に示すように、表示ランプ２１，２２，２３は表示制御部３０により、その表示態様が制御される。この実施形態において、個々の表示ランプの表示態様には、図３で黒丸で示す「消灯」，白丸で示す「点灯」，二重丸で示す「点滅」，三重丸で示す「高速点滅」の４態様が含まれる。
【００２４】
本発明によると、
（１）異常発生個所の総個所数を表示する総個所数表示、
（２）異常番号を表示する異常番号表示、
（３）異常内容を表示する異常内容表示が、
表示ランプ２１，２２，２３の表示態様の組み合わせにより表示される。
【００２５】
まず、（１）の異常発生個所の総個所数を表示する総個所数表示について説明する。この実施形態では、図４に示すように、総個所数表示時には、表示ランプ２１が点滅，表示ランプ２２が消灯，表示ランプ２３が高速点滅する。なお、この実施形態では、総個所数表示を３個所までとしている。
【００２６】
この場合、表示ランプ２１は、一例として０．５秒オン，０．５秒オフで点滅し、表示ランプ２３は、それよりも速い間隔で点滅する（表示ランプ２２は常時消灯）。
【００２７】
例えば、故障診断機能により、異常が２個所（例えば、室内熱交換の異常過熱と、室内ファンモータの異常の２個所）であれば、表示ランプ２３が高速点滅している間に、表示ランプ２１は２回点滅する。同様に、異常が３個所であれば、表示ランプ２３が高速点滅している間に、表示ランプ２１は３回点滅する。
【００２８】
次に、（２）の異常番号を表示する異常番号表示について説明する。例えば、異常がこの実施形態で表示可能な最大の３個所である場合、１個所目の異常番号１（図５（ａ）），２個所目の異常番号２（図５（ｂ）），３個所目の異常番号３（図５（ｃ））をそれぞれ表示する。
【００２９】
すなわち、この異常番号表示では、現在発生しているすべての異常のうち、何個所目の異常であるかを番号１，２，３で表示する。なお、図５（ａ）〜（ｃ）の各表示態様は、例えば異常番号Ａ，Ｂ，Ｃと認識されてもよい。
【００３０】
異常番号１〜３のいずれにおいても、表示ランプ２３は高速点滅であるが、異常番号１では、図５（ａ）に示すように、表示ランプ２１が点灯，表示ランプ２２が消灯、異常番号２では、図５（ｂ）に示すように、表示ランプ２１が消灯，表示ランプ２２が点灯、異常番号３では、図５（ｃ）に示すように、表示ランプ２１，２２ともに点灯となる。
【００３１】
次に、（３）の異常内容を表示する異常内容表示について説明する。この異常内容表示は、各異常番号で発生している異常の内容を表示するもので、この実施形態では、図６に例示するように、表示ランプ２１，２２がともに点滅で、表示ランプ２３が高速点滅となる。
【００３２】
この場合、表示ランプ２１，２２の点滅回数は、故障診断機能に書き込まれている異常内容に応じて決められており、一例として、異常内容が「室内熱交換器センサーの異常」であれば、表示ランプ２３が高速点滅している間に、表示ランプ２１が４回点滅した後、表示ランプ２１が１回点滅する。また、異常内容が「ファンモータのロック異常」であれば、表示ランプ２３が高速点滅している間に、表示ランプ２１が５回点滅した後、表示ランプ２１が１回点滅する。
【００３３】
次に、図７を参照して、表示の切り替えについて説明する。まず、図７（ａ）に示すように、異常の総個所数表示が行われる。例えば、異常個所が２個所であるとすると、表示ランプ２１が２回点滅する。そして、図７（ｂ）に示すように、１個所目の異常番号１が表示され、その後、図７（ｃ）に示すように、異常番号１の異常内容が表示ランプ２１，２２の点滅回数により表示される。
【００３４】
次に、図７（ｄ）に示すように、２個所目の異常番号２が表示され、その後、図７（ｅ）に示すように、異常番号２の異常内容が表示ランプ２１，２２の点滅回数により表示される。これが、繰り返される。参考として、図８に総個所数表示、異常番号表示、異常内容表示の具体例を示す。
【００３５】
なお、異常個所が１個所である場合には、異常個数および異常番号は表示されず、図７（ｃ）の異常内容が表示されることになる。
【００３６】
いずれにしても、異常の総個所数表示、異常番号表示および異常内容表示の各表示態様は、上記したように、例えば、機能Ｂ用（例えば省エネ運転用）表示ランプ２３が高速点滅する等、室内機１の運転状態表示部２に表示される正常運転時の表示態様とは異なる表示内容であるため、その表示を見てユーザーは故障が発生していることを知ることができる。
【００３７】
次に、図９（ａ）のフローチャートにより、上記の表示の切り替えを例えば表示制御部３０に設定されているプログラムにより自動的に切り替える場合について説明する。
【００３８】
まず、ステップＳＴ９１で、発生している異常が１個所がどうかを判断し、１個所である場合には、ステップＳＴ９１ａを実行し、上記（３）の異常内容を図６（図７（ｃ））の態様で表示する。
【００３９】
異常が複数個所の場合には、ステップＳＴ９２で、上記（１）の総個所数表示を図４（図７（ａ））の態様で行い、ステップＳＴ９３で、２秒間マスク（第１回目のマスク）したのち、ステップＳＴ９４で、上記（２）の異常番号表示を図５（図７（ｂ））の態様で行い、再びステップＳＴ９５で、２秒間マスク（第２回目のマスク）したのち、ステップＳＴ９６で、上記（３）の異常内容表示を図６（図７（ｃ））の態様で行う。
【００４０】
そして、ステップＳＴ９７で、すべての異常個所およびその異常内容を表示したかの判定を行い、ＹＥＳであればステップＳＴ９１に戻り、ＮＯであればステップＳＴ９３に戻り次の異常個所について同様の表示を行う。
【００４１】
なお、ステップＳＴ９３での第１回目のマスク時と、ステップＳＴ９５での第２回目のマスク時には、表示の切り替えが明確になるようにするため、表示切り替え専用の組み合わせパターンとして、図９（ｂ）に示すように、例えば表示ランプ２１，２２をともに消灯とし、表示ランプ２３のみを高速点滅させることが好ましい。
【００４２】
また、別の例として、図１０のフローチャートに示すように、ユーザーのリモコン操作（例えば、リモコンの特定のボタン操作）により、上記（１）〜（３）の表示が切り替えられるようにすることもできる。なお、このリモコン操作は、電話等によるユーザーとサービスセンターとの交信時に、サービスセンター側からの要請により逐次行われる。
【００４３】
この別の例では、まず、ステップＳＴ１０１で、発生している異常が１個所がどうかを判断し、１個所である場合には、ステップＳＴ１０１ａを実行し、上記（３）の異常内容を図６（図７（ｃ））の態様で表示する。
【００４４】
異常が複数個所の場合には、ステップＳＴ１０２で、上記（１）の総個所数表示を図４（図７（ａ））の態様で行い、ステップＳＴ１０３で、リモコン操作の有無を判定し、リモコン操作「有り」の場合に、ステップＳＴ１０４を実行し、上記（２）の異常番号表示を図５（図７（ｂ））の態様で行う。リモコン操作が行われない場合には、先に進まずリモコン操作が行われるまで待つ。
【００４５】
次に、ステップＳＴ１０５で、再度リモコン操作の有無を判定し、リモコン操作「有り」の場合に、ステップＳＴ１０６に進み、上記（３）の異常内容表示を図６（図７（ｃ））の態様で行う。リモコン操作が行われない場合には、先に進まずリモコン操作が行われるまで待つ。
【００４６】
そして、ステップＳＴ１０７で、再度リモコン操作の有無を判定し、リモコン操作「有り」の場合に、ステップＳＴ１０８に進み、リモコン操作が行われない場合には、先に進まずリモコン操作が行われるまで待つ。
【００４７】
ステップＳＴ１０８では、すべての異常個所およびその異常内容を表示したかの判定を行い、ＹＥＳであればステップＳＴ１０１に戻り、ＮＯであればステップＳＴ１０４に戻り次の異常個所について同様の表示を行う。
【００４８】
また、異常が発生した場合、ユーザーに注意を喚起するため、図１１（ａ）のフローチャートに示すように、まず最初のステップＳＴ１１１で、「異常発生表示」を行う。この「異常発生表示」には、図１１（ｂ）に示すように、例えば表示ランプ２１，２２をともに消灯とし、表示ランプ２３のみを高速点滅させる図９（ｂ）と同様な表示パターンが採用されてよい。
【００４９】
次に、ステップＳＴ１１２で、リモコン操作の有無を判定し、リモコン操作「有り」の場合に、ステップＳＴ１１３に進み、上記（１）の総個所数表示を図４（図７（ａ））の態様で行う。リモコン操作が行われない場合には、先に進まずリモコン操作が行われるまで待つ。
【００５０】
ステップＳＴ１１３を実行したのち、ステップＳＴ１１４で、リモコン操作の有無を判定し、リモコン操作「有り」の場合に、ステップＳＴ１１５に進み、上記（２）の異常番号表示を図５（図７（ｂ））の態様で行う。リモコン操作が行われない場合には、先に進まずリモコン操作が行われるまで待つ。
【００５１】
ステップＳＴ１１５を実行したのち、ステップＳＴ１１６で、リモコン操作の有無を判定し、リモコン操作「有り」の場合に、ステップＳＴ１１７に進み、上記（３）の異常内容表示を図６（図７（ｃ））の態様で行う。リモコン操作が行われない場合には、先に進まずリモコン操作が行われるまで待つ。
【００５２】
そして、ステップＳＴ１１８で、再度リモコン操作の有無を判定し、リモコン操作「有り」の場合に、ステップＳＴ１１９に進み、リモコン操作が行われない場合には、先に進まずリモコン操作が行われるまで待つ。
【００５３】
ステップＳＴ１１９では、すべての異常個所およびその異常内容を表示したかの判定を行い、ＹＥＳであればステップＳＴ１１１に戻り、ＮＯであればステップＳＴ１１５に戻り次の異常個所について同様の表示を行う。
【００５４】
なお、上記実施形態では、表示の切り替えを（１）の総個所数表示→（２）の異常番号表示→（３）の異常内容表示の順としているが、（２）の異常番号表示→（３）の異常内容表示→（１）の総個所数表示の順、あるいは（３）の異常内容表示→（１）の総個所数表示→（２）の異常番号表示の順としてもよい。また、表示ランプは４つ以上あってもよい。
【００５５】
いずれの場合にも、ユーザーからのサービスコール時に、各表示時の表示ランプの表示態様を伝えてもらうことにより、サービスセンター側では、異常が複数個所で発生しており、その異常内容を知ることができることができるため、１度の訪問ですべての異常に対応することが可能となる。
【符号の説明】
【００５６】
１  室内機
２  運転状態表示部
２１，２２，２３  表示素子（表示ランプ）
３０  表示制御部
【図１】
2012247119.tif 000003
【図２】
2012247119.tif 000004
【図３】
2012247119.tif 000005
【図４】
2012247119.tif 000006
【図５】
2012247119.tif 000007
【図６】
2012247119.tif 000008
【図７】
2012247119.tif 000009
【図８】
2012247119.tif 000010
【図９】
2012247119.tif 000011
【図１０】
2012247119.tif 000012
【図１１】
2012247119.tif 000013